(57)【要約】      （修正有）【課題】配達及び物流用のポリ袋を再使用可能にする簡易閉封・開封装置を提供する。【解決手段】長細形状の離形基材１の長辺に沿って分離裂き開け線１３が形成され、離形基材の一側面に両面接着層が粘着されてなる。離形基材の両面接着層をポリ袋４の封口部における内側面に粘着させることにより、封口部を粘着させてポリ袋を閉封する。加えて、ポリ袋の封口部外側面には補強テープ３が粘着される。摘み裂き開け部１２を裂き開ければポリ袋を開封できる。ポリ袋の封口部内側面に複数の離形基材がそれぞれ粘着され、封口部外側面に単一或は複数の補強テープが粘着すれば、ポリ袋を複数回繰返し再使用する効果が得られる。【選択図】図４
0003209037.tif 000002
【実用新案登録請求の範囲】
【請求項１】
離形基材と、両面接着層と、補強テープとからなる、配達及び物流用のポリ袋を再使用可能にする簡易閉封・開封装置であって、
前記離形基材は、延伸して連続した長細形状をなすとともに、前記離形基材の長辺に沿って分離裂き開け線が形成され、且つ前記分離裂き開け線によって前記離形基材は基部と摘み裂き開け部の二つのエリアに分割され、
前記両面接着層は、相対する両側面にそれぞれ粘着性を備えた第一粘着部及び第二粘着部が設けられ、
前記第一粘着部は、前記離形基材の一側面に粘着され、
前記第二粘着部は、ポリ袋の封口部の内側面に粘着されるために用いられ、
ポリ袋の閉封時には、まず前記離形基材の基部を剥がす必要があり、
前記補強テープは、前記ポリ袋の前記封口部の外側面における前記摘み裂き開け部と対応する位置に粘着されることを特徴とする、配達及び物流用のポリ袋を再使用可能にする簡易閉封・開封装置。
【請求項２】
更に、前記ポリ袋の封口部外側には、単一或は複数の補強テープが粘着されることを特徴とする、請求項１に記載の配達及び物流用のポリ袋を再使用可能にする簡易閉封・開封装置。
【請求項３】
更に、前記補強テープの幅は、いずれも前記摘み裂き開け部の幅よりも大きいことを特徴とする、請求項１に記載の配達及び物流用のポリ袋を再使用可能にする簡易閉封・開封装置。
【請求項４】
更に、前記ポリ袋の封口部内側には、複数の離形基材が粘着されることを特徴とする、請求項１に記載の配達及び物流用のポリ袋を再使用可能にする簡易閉封・開封装置。
【請求項５】
更に、前記両面接着層の第一粘着部は、前記基部の一部分と前記摘み裂き開け部の全てに被さることを特徴とする、請求項１に記載の配達及び物流用のポリ袋を再使用可能にする簡易閉封・開封装置。
【請求項６】
更に、前記ポリ袋の封口部における相対する二側には、前記摘み裂き開け部両側と平行して、長さを備えた切り分けスリットが設けられることを特徴とする、請求項４に記載の配達及び物流用のポリ袋を再使用可能にする簡易閉封・開封装置。
【考案の詳細な説明】
【技術分野】
【０００１】
本考案は、閉封・開封装置に関し、特に、配達業で使用される包装用ポリ袋を複数回繰返して再使用することが可能な、簡易閉封・開封装置に関する。
【背景技術】
【０００２】
消費者が小包などの配達品を受け取って開封しようとする場合、封口部を裂き開けるか或はカッターで封口部を切り開ける必要がある。しかし、ポリ袋の封口部を裂いたり切ったりして開ける際には、いずれもポリ袋がある程度破損してしまうため、ポリ袋を回収して再び使用することは出来なくなる。特に、消費者が返品可能な猶予期間内において買うことを思い直して返品しようとする時に不都合が生じる。このように、破損したポリ袋が使用不能になって直ぐに捨てられることは資源の無駄であり、加えて合成樹脂製のポリ袋は自然環境の中では分解されず環境保護に反している。
【考案の概要】
【考案が解決しようとする課題】
【０００３】
本考案は、包装用ポリ袋に結合されて、ポリ袋を素早く閉封・開封可能にするだけでなく、更に新たに再閉封・再開封可能にすることで、繰返し再利用を行う、閉封・開封装置を提供することを目的とする。
【課題を解決するための手段】
【０００４】
本考案は、長細形状の離形基材の長辺に沿って分離裂き開け線が形成され、且つ前記離形基材の一側面に両面接着層が粘着されてなる。離形基材の両面接着層をポリ袋の封口部における内側面に粘着させることにより、封口部を粘着させてポリ袋を閉封可能になる。加えて、ポリ袋の封口部外側面には補強テープが粘着される。ポリ袋を開封する時、摘み裂き開け部を裂き開ければ開封することが可能になる。ポリ袋の封口部内側面に複数の離形基材がそれぞれ粘着され、ポリ袋の封口部外側面に単一或は複数の補強テープが粘着された時、ポリ袋を複数回繰返し再使用する効果が得られる。
【図面の簡単な説明】
【０００５】
【図１】本考案の離形基材の構造を示した平面図である。
【図２】本考案において図１の離形基材に両面接着層を粘着させた実施例を示す斜視図である。
【図３】本考案の離形基材をポリ袋の封口部内側面に粘着させた実施例を示す概略図である。
【図４】本考案の補強テープをポリ袋の封口部外側面に粘着させた実施例を示す斜視図である。
【図５】補強テープがポリ袋の封口部外側面に粘着された後の実施例を示す概略図である。
【図６】本考案の使用時においてまず離形基材の基部を剥がす際の実施例を示す概略図である。
【図７】図６の基部を完全に剥がした後の状態を示す概略図である。
【図８】図７の封口部をポリ袋に対して１８０度回転させてポリ袋の袋口を閉じた様子を示す概略図である。
【図９】封をされたポリ袋を開封する時、摘み裂き開け部を裂き開ける様子を示す概略図である。
【図１０】図９の摘み裂き開け部を完全に裂き開けた後の状態を示す概略図である。
【図１１】図１０の封口部をポリ袋に対して１８０度回転させて開いた後の様子を示す概略図である。
【図１２】本考案においてポリ袋の封口部内側面に二つの離形基材が粘着された実施例を示す概略図である。
【図１３】本考案においてポリ袋の封口部外側面に補強テープが粘着された実施例を示す概略図である。
【図１４】本考案の離形基材が従来のポリ袋に直接粘着された実施例を示す概略図である。
【図１５】図１４に示したポリ袋を使用する時、まず離形紙を剥がす様子を示す概略図である。
【図１６】図１４のポリ袋の外側面に補強テープが粘着された様子を示す概略図である。
【考案を実施するための形態】
【０００６】
（実施例１）
図１を参照する。本考案が提供する、配達及び物流用のポリ袋を再使用可能にする簡易閉封・開封装置の実施例は、離形基材１と、両面接着層２とからなる。このうち、離形基材１は膠着剤に粘着しにくい適切な材料からなるとともに、延伸して連続的な長細形状をなし、且つ捲かれて一纏めにされることで保管・運搬・加工がし易くなる。離形基材１は長辺に沿って分離裂き開け線１３が形成され、且つ分離裂き開け線１３によって離形基材１は基部１１と摘み裂き開け部１２の二つのエリアに分けられる。更に分離裂き開け線１３によって、基部１１と摘み裂き開け部１２は裂き開けられて分離する。このうち基部１１の長さ方向の側辺には、基部１１の幅方向に突出した複数個の凸部１１１が連続して形成される。凸部１１１は、波形或はその他の適切な各種形状をなすことが可能であり、且つこれらの凸部１１１は等間隔で分布することが可能である。基部１１の幅は、摘み裂き開け部１２の幅よりも大きい。
【０００７】
図２を参照する。前述した両面接着層２の相対する両側面には、それぞれ粘着性を備えた第一粘着部２１及び第二粘着部２２が設けられる。第一粘着部２１は離形基材１の一側面に粘着され、第二粘着部２２はポリ袋４の封口部４０内側面に粘着されるために用いられる（図３参照）。本考案の実施例において、両面接着層２の第一粘着部２１は基部１１の大部分と摘み裂き開け部１２全体に被さると同時に、両面接着層２の第一粘着部２１は凸部１１１には被さらない。
【０００８】
（実施例２）
図３を参照する。合わせて図示した一般的なポリ袋４は、袋体を有し、袋体の一辺には袋口４１が形成される。袋口４１の一側から延伸した部分は封口部４０を形成する。封口部４０の内側面（袋口に向かう面）には、前述した離形基材１が粘着される。ポリ袋４は通常、非常に薄い合成樹脂製であるため、封口部４０が裂き開けられる時に変形して開け難くなることがよくある。よって本考案には、更に補強テープ３が設けられる。補強テープ３の一側面には粘着性を備えた粘性部３１が設けられるとともに、補強テープ３の幅は離形基材１の摘み裂き開け部１２の幅よりも大きく、且つ補強テープ３の粘性部３１は封口部４０の外側面における摘み裂き開け部１２と相対する位置に粘着され（図４及び図５参照）、更に幅は摘み裂き開け部１２の幅よりも大きくなくてはならない。このほか、更にポリ袋４の封口部４０における相対する二側には、摘み裂き開け部１２両側と平行して、長さを備えた切り分けスリット１４が設けられる。
【０００９】
ポリ袋４を閉封する時、まず離形基材１の基部１１を剥がして第一粘着部２１を露出させる（図６参照）。基部１１が完全に剥がされた後（図７参照）、物品を袋口４１からポリ袋４内に入れてから、封口部４０をポリ袋４に対して１８０度回転させて袋口４１に被せて粘着する。更に、第一粘着部２１をポリ袋４外表面に粘着させれば閉封が完了する（図８参照）。前述した凸部１１１は両面接着層２と粘着していないため、使用者が凸部１１１の部分から離形基材１の基部１１を剥がし取り易くなる。
【００１０】
ポリ袋４を開封しようとする時、使用者はポリ袋４のいずれかの一側端から二つの切り分けスリット１４の間における摘み裂き開け部１２を摘み起こすとともに（図９参照）、摘み裂き開け部１２を離形基材１の長さ方向に沿って裂き開けることで封口部４０が壊される。更に、摘み裂き開け部１２全体が接続された封口部４０から完全に離れるまで裂き開けることで裂き開け溝４Ａが形成される（図１０参照）。これにより、封口部４０を開いてポリ袋４を開封することが出来る（図１１参照）。
【００１１】
（実施例３）
ポリ袋４を複数回繰返し使用可能にしようとする時について、図１２を参照する。ポリ袋４の封口部４０内側面には、前述した方法で複数の離形基材１が粘着されるとともに、ポリ袋４封口部４０の外側面には単一或は複数の補強テープ３が粘着される（図１２及び図１３では二つの離形基材１と補強テープ３が粘着された様子を示している。実際の数量は製造者の需要に応じて定められる）。
【００１２】
ポリ袋４を閉封しようとする時、まず封口部４０の自由端に最も近い離形基材１の基部１１を剥がして第一粘着部２１を露出させる。更に、基部１１が完全に剥がされた後、封口部４０をポリ袋４に対して１８０度回転させて袋口４１に被せるとともに、第一粘着部２１をポリ袋４外表面に粘着させれば閉封が完了する。
【００１３】
ポリ袋４を開封しようとする時、使用者はポリ袋４と貼合された離形基材１のいずれかの一側端から、二つの切り分けスリット１４の間における摘み裂き開け部１２を摘み起こすとともに、摘み裂き開け部１２を離形基材１の長さ方向に沿って裂き開けることで封口部４０が壊される。更に、摘み裂き開け部１２全体が接続された封口部４０から完全に離れるまで裂き開ければ、封口部４０を開いてポリ袋４封口部４０を開封することが出来る。
【００１４】
再度ポリ袋を使用して閉封しようとする時には、前述と同様の方法で別途未使用の離形基材１を用いて、基部を剥がした後、ポリ袋４に粘着させて閉封を行うことが出来る。また、再びポリ袋を開封する方法は前述した開封方法と同様であるため、ここで重複して述べることはしない。
【００１５】
ポリ袋４の封口部に設けられた離形基材１と補強テープ３の数量が多くなるほど、繰返し使用可能な回数も多くなる。
【００１６】
（実施例４）
図１４から図１６を参照する。本考案の離形基材１は一般に市販されている従来の包装用ポリ袋４に用いられることが可能である。前記従来の包装用ポリ袋４は、袋体を有し、袋体の一辺には袋口４１が形成される。袋口４１の一側から延伸した部分は封口部を形成する。封口部の内側面には接着剤が塗布されて粘着部４３を形成するとともに、粘着部４３上には離形紙４２が貼着される。本考案の離形基材１は、市販の従来型ポリ袋４の袋口４１と粘着部４３の間における封口部内側面に直接粘着されることが可能であり、且つ補強テープ３は、封口部の外側面における離形基材１と対応する位置に粘着される。
【００１７】
ポリ袋４を閉封しようとする時、まず離形紙４２を封口部４０の自由端に最も近い離形基材１の基部１１から剥がして第一粘着部２を露出させる（図１５参照）。更に、封口部をポリ袋４に対して１８０度回転させて袋口４１に被せるとともに、粘着部４３をポリ袋４外表面に粘着させれば閉封が完了する。
【００１８】
ポリ袋４を開封しようとする時、使用者はポリ袋４と貼合された離形基材１のいずれかの一側端から、二つの切り分けスリット１４の間における摘み裂き開け部１２を摘み起こすとともに、摘み裂き開け部１２を離形基材１の長さ方向に沿って裂き開けることで封口部が壊される。更に、摘み裂き開け部１２全体が接続された封口部から完全に離れるまで裂き開ければ、封口部を開いてポリ袋４を開封することが出来る。
【符号の説明】
【００１９】
１      離形基材
１１    基部
１１１  凸部
１２    摘み裂き開け部
１３    分離裂き開け線
１４    切り分けスリット
２      両面接着層
２１    第一粘着部
２２    第二粘着部
３      補強テープ
３１    粘性部
４      ポリ袋
４Ａ    裂き開け溝
４０    封口部
４１    袋口
４２    離形紙
４３    粘着部
【図１】
0003209037.tif 000003
【図２】
0003209037.tif 000004
【図３】
0003209037.tif 000005
【図４】
0003209037.tif 000006
【図５】
0003209037.tif 000007
【図６】
0003209037.tif 000008
【図７】
0003209037.tif 000009
【図８】
0003209037.tif 000010
【図９】
0003209037.tif 000011
【図１０】
0003209037.tif 000012
【図１１】
0003209037.tif 000013
【図１２】
0003209037.tif 000014
【図１３】
0003209037.tif 000015
【図１４】
0003209037.tif 000016
【図１５】
0003209037.tif 000017
【図１６】
0003209037.tif 000018